(57)【要約】  【課題】自動販売機において、購入者に対する操作の状態を示す手段として、単発のＬＥＤランプによる表示がされているが、表示を強調する為に広い範囲を点灯させようとした場合、複数のＬＥＤランプの表示では、表示部にムラが生じていた。  【解決手段】発光部１０の光源を複数のＬＥＤランプ１２とし、発光部のカバーパネル１１を有色で透過性のある樹脂材料とし、かつ、厚み２ｍｍ程度の厚板材料とすることを特徴とするものであり、表示を強調できる広い面を発光させることができ、かつ、ムラ無く発光でき、また、安価で長寿命とすることができる。【選択図】図２
2006119880.tif 000002
【特許請求の範囲】
【請求項１】
バーコードやＩＣカードなどの現金以外で商品購入可能な自動販売機において、バーコードやＩＣカードを読み取り認証された際、認証されたことを購入者に知らせる為の表示装置としての発光部を備えたことを特徴とする自動販売機。
【請求項２】
光源を複数のＬＥＤランプとし、発光部のカバーパネルを有色で透過性のある樹脂材料とし、かつ、厚み２ｍｍ程度の厚板材料とすることを特徴とする請求項１記載の自動販売機。
【請求項３】
発光部のカバーパネルである透過性樹脂材料の色調を白色とし、かつ、発光するＬＥＤランプの色調を白色以外の有色とすることを特徴とする請求項２記載の自動販売機。
【請求項４】
発光部のＬＥＤランプをフルカラーＬＥＤランプとすることを特徴とする請求項２及び３に記載の自動販売機。
【発明の詳細な説明】
【技術分野】
【０００１】
本発明は、自動販売機の表示部分に関するものである。
【背景技術】
【０００２】
従来、自動販売機において、購入者に対する操作の状態を示す手段として、ＬＥＤの表示によるものが一般的である。販売可能状態であるとか、売切れであるとか、ボタンの押した状態や、何回押したものであるか等の状態を示している（例えば、特許文献１参照）。
【０００３】
図５は従来の自動販売機の斜視図、図６は、ＬＥＤランプ部の断面図である。
【０００４】
以下、図５及び図６を参照しながら、従来の自動販売機について説明する。
【０００５】
機体前面に設けられた扉１には、硬貨投入口２、商品選択ボタン３、投入された金額を表示する金額表示機４、商品取出し口５が設けられている。また、硬貨以外にＩＣカードにより商品を購入できるカード認証装置６が、同じく扉１に設けられ、カード認証装置６の近傍に、認証の可否を購入者に伝える為のＬＥＤランプ７が設けられている。ＬＥＤランプ７は、扉１の開口部８の内側に設けられ、その開口部８には、拡散シート９が設けられている。
【０００６】
以上のように構成された自動販売機について、以下その動作について説明する。
【０００７】
通常、硬貨により缶入り飲料を購入する際は、硬貨を硬貨投入口１に挿入したのち、商品選択ボタンを押すことにより、缶入り飲料が商品取出し口５に搬出される。また、ＩＣカードにより缶入り飲料を購入する際は、商品選択ボタンを押した後、ＩＣカードをＩＣカード認証装置６にかざすと、それを認証可の場合、ＬＥＤランプ７が点灯し、缶入り飲料が商品取出し口５に搬出され、認証不可の場合、ＬＥＤランプ７が点滅して購入者に知らせる。
【０００８】
また、ＬＥＤランプ７の前面の拡散シート９は、表面に微小な凹凸が形成されていて、すりガラスのように、ＬＥＤランプ７の光を通し発光は認識できるが、ＬＥＤランプ７自体やＬＥＤランプ７の周囲部品などが直接見えないようにしている。
【特許文献１】特開平１１−２０３５４９号公報
【発明の開示】
【発明が解決しようとする課題】
【０００９】
しかしながら、前記従来の構成では、購入者に対してより表示を強調するために、扉１の開口部９を大きくして表示部を広くしようとした場合、単純に大きくしただけでは暗くなるので、ＬＥＤランプの数を多くすることになるが、そうなると、拡散シートを透過したＬＥＤランプの光は、ムラになりやすく不体裁となる。つまり、拡散シートでは、ＬＥＤランプの輪郭が見えやすい為、１個では目立たないが、複数個になると、輪郭同士の重なりで、やや明るいところとやや暗いところのムラが出来て不体裁となる。また、広い面を発光させる方法として、液晶画面を使う方法もあるが、ＬＥＤランプに比べ非常に高価で、寿命も短い。
【００１０】
本発明は、上記従来の課題を解決するもので、安価で長寿命のＬＥＤランプを複数個用いて、広い面をムラ無く発光させることが出来るものである。
【課題を解決するための手段】
【００１１】
前記従来の課題を解決するために、本発明の自動販売機は、光源を複数のＬＥＤランプとし、発光部のカバーパネルを有色で透過性のある樹脂材料とし、かつ、厚み２ｍｍ程度の厚板材料とするものである。
【発明の効果】
【００１２】
本発明の自動販売機は、光源を複数のＬＥＤランプとし、発光部のカバーパネルを有色で透過性のある樹脂材料とし、かつ、厚み２ｍｍ程度の厚板材料とすることを特徴とするものであり、表示を強調できる広い面を発光させることができ、かつ、ムラ無く発光でき、また、安価で長寿命とすることができる。
【発明を実施するための最良の形態】
【００１３】
第１の発明は、光源を複数のＬＥＤランプとし、発光部のカバーパネルを有色で透過性のある樹脂材料とし、かつ、厚み２ｍｍ程度の厚板材料とすることを特徴とするものであり、表示を強調できる広い面を発光させることができ、かつ、ムラ無く発光でき、また、安価で長寿命とすることができる。
【００１４】
第２の発明は、第１の発明の自動販売機において、発光部のカバーパネルである透過性樹脂材料の色調を白色とし、発光するＬＥＤパネルの色調を白色以外の有色とするものであるので、表示を強調できる広い面を発光させることができ、かつ、ムラ無く発光でき、また、安価で長寿命とすることができる。さらに、ＬＥＤランプ消灯時には白色、ＬＥＤランプ点灯時には有色となり、より、表示を強調することが出来る。
【００１５】
第３の発明は、第１及び第２の発明の自動販売機において、発光部のＬＥＤランプをフルカラーＬＥＤランプとしたものであるので、表示を強調できる広い面を発光させることができ、かつ、ムラ無く発光でき、また、安価で長寿命とすることができる。さらに、ＬＥＤランプ消灯時には白色、ＬＥＤランプ点灯時には有色となり、より、表示を強調することが出来る。また、さらに、点灯時の発光色を変化させることができるので、例えば、認証可のときは緑色、認証不可の時は赤色等、より購入者に分かりやすく表示することが出来る。
【００１６】
以下、本発明による自動販売機の実施の形態について、図面を参照しながら説明する。なお、従来と同一構成については同一符号を付してその詳細な説明を省略する。なお、本実施の形態によって本発明が限定されるものではない。
【００１７】
（実施の形態１）
図１は、本発明の実施の形態１における自動販売機の斜視図、図２は、同実施の形態の自動販売機の発光部の構造図である。
【００１８】
図１において、扉１に設けられたカード認証装置６の上部に発光部１０が設けられている。発光部１０は、カバーパネル１１と複数のＬＥＤランプ１２とからなる。カバーパネル１１は、透過性の樹脂材料で緑色であり、厚みが２ｍｍ程度の厚板材料である。光を通す透過性ではあるが緑色のため、カバーパネル１１を通して中は見えない。ＬＥＤランプ１２は、白色発光である。
【００１９】
以上のように構成された自動販売機について、以下その動作を説明する。
【００２０】
従来の構成同様に、ＩＣカードにより缶入り飲料を購入する際は、商品選択ボタンを押した後、ＩＣカードをカード認証装置６にかざすと、それが認証可の場合、広い面積の発光部１０が点灯し、缶入り飲料が商品取出し口５に搬出され、認証不可の場合、発光部１０が点滅して購入者に知らせる。
【００２１】
以上のように本実施の形態の自動販売機は、表示を強調できる広い面を発光させることができ、かつ、ムラ無く発光でき、また、ＬＥＤランプを用いることにより安価で長寿命とすることができる。
【００２２】
（実施の形態２）
図３は、本発明の実施の形態２における自動販売機の発光部の構造図である。
【００２３】
図３において、発光部１０は、カバーパネル１３と複数のＬＥＤランプ１４とからなる。カバーパネル１３は、透過性の樹脂材料で白色であり、厚みが２ｍｍ程度の厚板材料である。光を通す透過性ではあるが白色のため、カバーパネル１３を通して中は見えない。ＬＥＤランプ１４は、緑色発光である。
【００２４】
以上のように構成された自動販売機について、以下その動作を説明する。
【００２５】
従来の構成同様に、ＩＣカードにより缶入り飲料を購入する際は、商品選択ボタンを押した後、ＩＣカードをカード認証装置６にかざすと、それが認証可の場合、広い面積の発光部１０が点灯し、缶入り飲料が商品取出し口５に搬出され、認証不可の場合、発光部１０が点滅して購入者に知らせる。待機時つまり発光していないときは白色で、認証時つまり発光時は緑色となる。
【００２６】
以上のように本実施の形態の自動販売機は、表示を強調できる広い面を発光させることができ、かつ、ムラ無く発光でき、また、ＬＥＤランプを用いることにより安価で長寿命とすることができる。さらに、ＬＥＤランプ消灯時には白色、ＬＥＤランプ点灯時には緑色となり、より、表示を強調することが出来る。
【００２７】
（実施の形態３）
図４は、本発明の実施の形態３における自動販売機の発光部の構造図である。
【００２８】
図４において、発光部１０は、カバーパネル１５と複数のＬＥＤランプ１６とからなる。カバーパネル１５は、透過性の樹脂材料で白色であり、厚みが２ｍｍ程度の厚板材料である。光を通す透過性ではあるが白色のため、カバーパネル１５を通して中は見えない。ＬＥＤランプ１６は、入力信号により発光色を変化させることができるフルカラーＬＥＤランプである。
【００２９】
以上のように構成された自動販売機について、以下その動作を説明する。
【００３０】
従来の構成同様に、ＩＣカードにより缶入り飲料を購入する際は、商品選択ボタンを押した後、ＩＣカードをカード認証装置６にかざすと、それが認証可の場合、ＬＥＤランプ１６が緑色に発光することにより広い面積の発光部１０が緑色に点灯し、缶入り飲料が商品取出し口５に搬出される。認証不可の場合、ＬＥＤランプ１６が赤色に発光することにより発光部１０が赤色に点灯し購入者に知らせる。待機時つまり発光していないときは白色で、認証時は緑色、認証不可時には赤色となる。
【００３１】
以上のように本実施の形態の自動販売機は、表示を強調できる広い面を発光させることができ、かつ、ムラ無く発光でき、また、ＬＥＤランプを用いることにより安価で長寿命とすることができる。さらに、ＬＥＤランプ消灯時には白色、点灯時の発光色を変化させることができるので、例えば、認証可のときは緑色、認証不可の時は赤色等、より購入者に分かりやすく表示することが出来る。
【産業上の利用可能性】
【００３２】
以上のように、本発明にかかる自動販売機は、操作の際の表示に関するものであり、自動販売機に限らず、操作を行う様々な産業機器に適応できる。
【図面の簡単な説明】
【００３３】
【図１】本発明の実施の形態１における自動販売機の斜視図
【図２】同実施の形態の自動販売機の発光部の構造図
【図３】本発明の実施の形態２における自動販売機の発光部の構造図
【図４】本発明の実施の形態３における自動販売機の発光部の構造図
【図５】従来の自動販売機の斜視図
【図６】従来の自動販売機のＬＥＤランプ部の断面図
【符号の説明】
【００３４】
１０  発光部
１１，１３，１５  カバーパネル
１２，１４，１６  ＬＥＤランプ
【図１】
2006119880.tif 000003
【図２】
2006119880.tif 000004
【図３】
2006119880.tif 000005
【図４】
2006119880.tif 000006
【図５】
2006119880.tif 000007
【図６】
2006119880.tif 000008